(57)【特許請求の範囲】
【請求項１】
所定のディジタル変調方式で変調された変調信号中に存在する所定のデータ列を検出するディジタル信号検出器であって、
量子化された前記変調信号を受け、受けた信号を、判別の境界となる位相を互いにずらした複数の判別条件を用いて、それぞれ所定の長さを有する複数のディジタルデータに変換する複数の変換部と、
変換された複数の前記ディジタルデータ中にある所定のデータを、これ等データを判別した前記位相が時系列に従い回転するように組み合わせて、複数の比較データ列を構成するデータ構成部と、
前記比較データ列をそれぞれ期待データ列と比較する複数の判定部とを備え、
前記判定部のいずれかにおける前記比較データ列と前記期待データ列との一致により、前記所定のデータ列を検出することを特徴とするディジタル信号検出器。
【請求項２】
請求項１記載のディジタル信号検出器において、
前記判定部のいずれかにおける前記比較データ列と前記期待データ列との一致に基づいて、前記変調信号の搬送周波数と基準信号の周波数との差を検出する周波数差検出部を備えていることを特徴とするディジタル信号検出器。
【請求項３】
所定のディジタル変調方式で変調された変調信号中に存在する所定のデータ列を検出するディジタル信号検出器を備え、受信した前記変調信号の同期検波を行うディジタル復調器であって、
前記ディジタル信号検出器は、
量子化された前記変調信号を受け、受けた信号を、判別の境界となる位相を互いにずらした複数の判別条件を用いて、それぞれ所定の長さを有する複数のディジタルデータに変換する複数の変換部と、
変換された複数の前記ディジタルデータ中にある所定のデータを、これ等データを判別した前記位相が時系列に従い回転するように組み合わせて、複数の比較データ列を構成するデータ構成部と、
前記比較データ列をそれぞれ期待データ列と比較する複数の判定部とを備え、
前記判定部のいずれかにおける前記比較データ列と前記期待データ列との一致により、前記所定のデータ列を検出することで、同期検波を行うことを特徴とするディジタル復調器。
【請求項４】
請求項３記載のディジタル復調器において、
前記判定部のいずれかにおける前記比較データ列と前記期待データ列との一致に基づいて、前記変調信号の搬送周波数と基準信号の周波数との差を検出する周波数差検出部を備えていることを特徴とするディジタル復調器。
【請求項５】
所定のディジタル変調方式で変調された変調信号中に存在する所定のデータ列を検出するディジタル信号の検出方法であって、
量子化された前記変調信号を受け、受けた信号を、判別の境界となる位相を互いにずらした複数の判別条件を用いて、それぞれ所定の長さを有する複数のディジタルデータに変換し、
変換された複数の前記ディジタルデータ中にある所定のデータを、これ等データを判別した前記位相が時系列に従い回転するように組み合わせて、複数の比較データ列を構成し、
複数の前記比較データ列と期待データ列とをそれぞれ比較し、
前記比較データ列のいずれかと前記期待データ列との一致により、前記所定のデータ列を検出することを特徴とするディジタル信号の検出方法。
【請求項６】
所定のディジタル変調方式で変調された変調信号中に存在する所定のデータ列を検出するディジタル復調器の同期検波方法であって、
量子化された前記変調信号を受け、受けた信号を、判別の境界となる位相を互いにずらした複数の判別条件を用いて、それぞれ所定の長さを有する複数のディジタルデータに変換し、
変換された複数の前記ディジタルデータ中にある所定のデータを、これ等データを判別した前記位相が時系列に従い回転するように組み合わせて、複数の比較データ列を構成し、
複数の前記比較データ列と期待データ列とをそれぞれ比較し、
前記比較データ列のいずれかと前記期待データ列との一致により、前記所定のデータ列を検出することで、同期検波を行うことを特徴とするディジタル復調器の同期検波方法。
【発明の詳細な説明】
【０００１】
【発明の属する技術分野】
本発明は、変調されたディジタル信号の中から所定のデータ列を検出するディジタル信号検出器およびディジタル信号の検出方法に関する。また、本発明は、変調されたディジタル信号を復調するディジタル復調器およびディジタル復調器の同期検波方法に関する。
【０００２】
【従来の技術】
近時、テレビジョン等の放送方式は、アナログからディジタルに移行しつつある。日本の衛星ディジタル放送方式の一つであるISDB-S（統合ディジタル放送；Integrated Services Digital Broadcasting）は、複数の変調方式を混在させて信号を伝送する規格である。ISDB-Sの復調器は、雑音強度が非常に高い状態でも同期確立を行い、同期した状態を維持しなくてはならない。このような悪条件下で同期確立およびその維持を可能にするため、ISDB-Sでは、伝送信号の復号に必要な情報（同期確立、維持を目的とした信号）は、所定の規則に従って伝送信号の中に配置されている。伝送信号を復調するためには、まずこの情報を検出することが必要である。
【０００３】
図１１は、ISDB-Sにおける伝送信号の概要を示している。
送信信号の最も大きい単位は、スーパーフレームと称されており、１スーパーフレームは、８つのフレームで構成されている。１フレームは、同期語１、TMCC（伝送多重制御；Time Multiplexing Configuration Control）信号、同期語２（または同期語３）、主信号、バースト信号、主信号、，，，で構成されている。同期語１、２、３は、同期確立に必要な特定のビット列であり、それぞれ32シンボルで構成されている。TMCC信号は、１スーパーフレームにおける、伝送方式および送信局の情報等を示す信号であり、1024シンボル（128シンボル×８フレーム）で構成されている。主信号は、放送局が送信する映像、音声等のデータを変調した信号である。バースト信号は、雑音強度が低い状態で同期確立するため、および同期確立後の状態を維持するために挿入される信号である。
【０００４】
同期語１、２、３、TMCC信号、およびバースト信号は、BPSK（Binary Phase Shift Keying）で変調される。これに対して主信号は、１フレーム中で任意の変調方式を組み合わせて送信できる。すなわち、主信号は、BPSK、QPSK（Quadrature PSK）、あるいは8PSKで変調される。TMCC信号は、どのような変調方式を組み合わせて送信したかという情報を有している。このため、主信号の復調は、TMCC信号を取得することで初めて可能になる。つまり、復調を開始するためには、同期語を検出し、TMCC信号を復号することが必要になる。
【０００５】
このように、同期語の検出は、伝送された信号の復調するためにきわめて重要である。同期語を検出する検出器は、上述したように、悪条件の中でも同期語を検出しなくてはならない。
図１２は、BPSKで変調された同期語の様々な位相ベクトル（信号点配置図）を示している。図においてＩ軸は、基準位相と同相の搬送波位相を示し、Ｑ軸は、Ｉ軸と直交する搬送波位相を示している。例えば、BPSKで変調された信号の情報は、図１２（ａ）のように示される。すなわち、Ｑ軸を境界にして２値（０、１）が判別される。このため、搬送波の周波数と復調器内の発振器（例えば、搬送波再生回路）の周波数とに多少のずれ（周波数差）がある場合にも、図１２（ａ）の判別条件を有する判別器によって同期語を検出することができる。ここで、BPSKでは、同期語を検出できる上記周波数ずれの範囲ｆｄ[Hz]は、同期語の長さをＮ[bit]、変調速度をＦ[baud]とすると、ｆｄ＜Ｆ／２Ｎとなる。
【０００６】
しかし、図１２（ａ）に示した判別条件を有する判別器のみで同期語を検出する場合、周波数ずれの範囲ｆｄは、伝送路に雑音があると小さくなる。伝送路に雑音がなく周波数ずれの範囲ｆｄが小さくても、同期語がＱ軸上（２値の境界上）にある場合、同期語を検出することはできない。このため、従来の同期語検出器は、図１２（ａ）の判別条件を有する判別器とともに、判別の境界となる位相を互いにずらした判別条件（図１２（ｂ）、（ｃ）、（ｄ））を有する判別器を有している。判別条件の異なる４つの判別器を同時に動作させることで、搬送波の位相にかかわらず、また雑音の有無にかかわらず、同期語を検出することが可能になる。
【０００７】
図１３は、４つの判別器２を有する同期語検出器を示している。
判別器２は、それぞれ図１２（ａ）、（ｂ）、（ｃ）、（ｄ）に示した特性を有しており、入力信号（BPSKで変調された同期語）の２値判定を行う。なお、実際には、判別器２は、入力信号または反転された入力信号を受けることで、８つの判別器２を有する場合と同等に動作する。判別器２の判別結果は、同期語長分の情報（この例では８シンボル）を格納するバッファ４に格納される。同期語判定器６は、バッファ４に格納された比較データ列（入力信号）と、期待データ列（同期語）とを比較することで入力信号に含まれる同期語の検出を行う。同期語判定器６による同期語の検出結果は、OR回路８を介して同期語検出信号として出力される。すなわち、同期語判定器６のいずれかが同期語の検出することで、同期語検出信号が活性化される。そして、同期語の検出後にTMCC信号が復号され、伝送信号が復調される。
【０００８】
図１４は、従来の同期語検出の例を示している。
この例では、復調器の発振周波数を周波数掃引器で順次にシフトすることで、復調器が復調可能な搬送波の周波数ずれを、上記周波数差の範囲ｆｄより大きくしている。図中の括弧数字は、掃引順序を示している。周波数の掃引は９回行われ、±９ｆｄの範囲で同期語の復調が可能にされている。
【０００９】
図１５は、周波数掃引器を有する復調器における同期語検出の動作フローを示している。
復調器は、まず、搬送波再生回路の基準信号の周波数を、例えば図１４（１）に対応する周波数にし、タイマの動作中に同期語の検出を繰り返して行う。タイマの周期は、同期語の検出が数回から数十回行われるように設定されている。同期語の検出を複数回行うことで、同期語は、雑音がある場合にも確実に検出される。同期語を検出した場合、図１５の動作フローは終了され、TMCC信号および主信号の復調動作が行われる。
【００１０】
タイマの動作中に同期語が検出されない場合、搬送波再生回路の動作周波数は、周波数掃引器により、次の領域（例えば、図１４（２））にシフトされる。そして、再び同期語の検出が繰り返して行われる。同期語が検出できない場合、図１４に示した範囲で周波数掃引、同期語の検出が繰り返して行われる。この結果、搬送波の周波数と搬送波再生回路の周波数とのずれが大きい場合にも、同期語の検出が可能になる。
【００１１】
【発明が解決しようとする課題】
ところで、雑音強度が大きい場合、同期語の検出時間は、同期語の検出確率が減少するため増大する。また、雑音強度が大きい場合、位相空間上の本来あるべき位置に信号がないため、検出できる周波数ずれの範囲ｆｄは、小さくなる。したがって、雑音強度が大きい状態で、確実に同期語を検出するためには、周波数ずれの範囲ｆｄを小さくし、１つの範囲ｆｄにおいて、同期語を検出する時間（検出回数）を長くする必要がある。換言すれば、雑音強度を測定し、それによって最適な同期語検出の時間および掃引周波数を決定したとしても、雑音強度が大きくなるに従い、特定の周波数差を有する信号の同期語を検出する時間は非常に長くなる。したがって、雑音強度が小さい場合には問題にならなかった同期語検出の時間が、雑音強度が大きくなると問題になる場合がある。
【００１２】
このような問題を解決するためには、復調器内に複数の搬送波再生回路を形成し、これ等搬送波再生回路を並列に動作させて、複数の周波数差での同期語検出を同時に行えばよい。しかし、搬送波再生回路は、位相回転器、同期語検出器、ループフィルタ、タイミング発生器、ROM等で構成されており、復調器の構成要素の中でも回路規模が大きい。このため、コスト、消費電力を考慮すると実現は困難である。
【００１３】
なお、過去の信号点の位相と現在の信号点の位相との差から受信する信号の位相の回転角を算出し、その回転角に基づいて動作する復調器が、特許第２５３８８８８号公報に開示されている。しかし、この復調器では、雑音強度が大きい場合、算出した位相回転角（予測値）と実際の回転角とが一致しなくなる。このため、信号の検出能力は、雑音強度が非常に高い場合に、極端に落ちてしまう。したがって、この種の復調器を、ISDB-Sの復調器に採用することは難しい。
【００１４】
本発明の目的は、雑音強度が非常に高い場合にも、変調されたディジタル信号の中から所定のデータ列を検出することにある。
【００１５】
【課題を解決するための手段】
本発明のディジタル信号検出器の一形態およびディジタル信号の検出方法の一形態では、検出器は、複数の変換部、データ構成部、および複数の判定部を備えている。変換部は、量子化された変調信号を受け、受けた信号を、判別の境界となる位相を互いにずらした複数の判別条件を用いて、それぞれ所定の長さを有する複数のディジタルデータに変換する。データ構成部は、変換された複数のディジタルデータ中にある所定のデータを、これ等データを判別した位相が時系列に従い回転するように組み合わせて、複数の比較データ列を構成する。判定部は、複数の比較データ列をそれぞれ期待データ列と比較する。そして、いずれかの判定部における比較データ列と期待データ列との一致により、所定のデータ列が検出される。
【００１６】
一般に、ディジタル信号の検出に用いる基準信号の周波数と、搬送波の周波数とに周波数差がある場合、所定のデータ列を検出することは困難である。しかし、この周波数差が、ある比較データ列中の各データを判別した位相の遷移角度に対応している場合、所定のデータ列が検出可能になる。複数の周波数差に対応した複数の比較データ列が構成され、複数の判別部で、これ等比較データ列と期待データ列とをそれぞれ比較することにより、異なる周波数差における所定のデータ列の検出を同時に行うことができる。この結果、検出時間を短縮できる。
【００１７】
データ構成部は、複数の変換部で変換されたディジタルデータ中にあるデータを組み合わせて、複数の比較データ列を構成する。すなわち、複数の変換部を共用して、複数の比較データ列が生成されるため、増加する回路規模は、従来に比べわずかである。従来の変換部を利用できるため、設計効率が向上する。
本発明のディジタル信号検出器の別の一形態では、検出器は、周波数差検出部を備えている。このため、いずれかの判定部における比較データ列と期待データ列との一致に基づいて、変調信号の周波数と基準信号の周波数との差を検出することができる。
【００１８】
本発明のディジタル復調器の一形態および本発明のディジタル復調器の同期検波方法の一形態では、復調器は、上述したディジタル信号検出器を備えている。このため、所定のデータ列の検出時間を短縮でき、同期検波に要する時間を短縮できる。異なる周波数差における所定のデータ列の検出を同時に行うことができるため、ディジタル復調器が周波数掃引を行っている場合には、掃引回数を低減できる。
【００１９】
本発明のディジタル復調器の別の一形態では、復調器は、周波数差検出部を備えている。このため、変調信号の周波数と基準信号の周波数との差を検出し、検出結果を制御系にフィードバックすることで、さらに同期検波に要する時間を短縮できる。
【００２０】
【発明の実施の形態】
以下、本発明の実施形態を図面を用いて説明する。
【００２１】
図１は、本発明のディジタル信号検出器、ディジタル復調器、ディジタル信号の検出方法、およびディジタル復調器の同期検波方法の第１の実施形態を示している。この実施形態は、請求項１、請求項３、請求項５、および請求項６に対応している。
【００２２】
ディジタル復調器は、ADコンバータ（以下、ADCと称す）１０、搬送波再生回路１２、復号器１４、周波数掃引器１６、およびPLL（Phase locked Loop）１８を有している。このディジタル復調器は、半導体集積回路として半導体基板上に１チップで形成されており、例えば、ISDB-Sのディジタル放送の受信端末（チューナ）内に実装され、準同期検波を行う。搬送波再生回路１２は、同期語を検出するディジタル信号検出器である同期語検出器２０、タイミング発生器２２、位相検出器２４、ループフィルタ２６、ROM２８、および位相回転器３０を有している。PLL回路１８は、クロック位相検出器３２、ループフィルタ３４、および電圧制御発振器（Voltage Controlled Oscillator；以下、VCOと称す）３６を有している。
【００２３】
ADC１０は、アナログの入力信号（変調信号）を量子化しディジタル信号に変換する。同期語検出器２０は、ディジタル信号に変換された入力信号から同期語を検出する。タイミング発生器２２は、同期語が検出された後に、周波数引き込みを行うために特定の変調方式を示す信号を生成する。位相検出器２４は、入力信号の本来あるべき位相からの位相ずれを検出する。ループフィルタ２６は、位相検出器２４および周波数掃引器１６からの情報を受け、この情報に基づいてROM２８を制御するための制御信号を生成する。ROM２８には、位相回転器３０を補正するための補正データが格納されている。ROM２８は、ループフィルタ２６の出力をデコードし、位相回転器３０を補正する補正信号を出力する。位相回転器３０は、入力信号の搬送波周波数のずれを補正するために、補正信号に応じて入力信号の位相を回転させる。周波数掃引器１６は、搬送波再生回路１２で検波できない大きな搬送波周波数ずれのある状態での入力信号の復調を可能にするため、ループフィルタ２６に対して所定の周波数差を加算あるいは減算する。
【００２４】
PLL１８のクロック位相検出器３２は、ADC１０を動作させるタイミングのずれを検出する。ループフィルタ３４は、VCO３６を制御する信号を生成する。VCO３６は、ADC１０の変換タイミングを生成する。復号器１４は、同期語が検出された後に入力信号の復号を行う。
【００２５】
図２は、同期語検出器２０の詳細を示している。図中、太線で示した矢印は、複数本からなる信号線を示している。
同期語検出器２０は、ディジタル入力信号を受ける判別器２ａ、２ｂ、２ｃ、２ｄ、バッファ４ａ、４ｂ、４ｃ、４ｄ、同期語判定部３８、４０、４２、およびOR回路４４を有している。判別器２ａ、２ｂ、２ｃ、２ｄは、それぞれ所定の判別条件を用いて、入力信号をディジタルデータに変換する変換部として動作する。同期語判定部３８は、４つの同期語判定器６およびOR回路８を有している。OR回路８は、検出信号DTCT0を出力している。判別器２ａ〜２ｄ、バッファ４ａ〜４ｄ、同期語判定器６、およびOR回路８は、従来と同一の回路である。すなわち、図中一点鎖線で囲まれた回路は、図１３と同一の構成である。このように、この実施形態の復調器は、従来の回路を多数利用しているため、その設計効率が向上される。さらに、増加する回路は、同期語判定部４０、４２およびOR回路４４だけであるため、回路規模の増大が最小限にされる。
【００２６】
同期語判定部４０は、バッファ４ａ〜４ｄからそれぞれ所定の比較データ列を受け、検出信号DTCT1を出力している。同期語判定部４２は、バッファ４ａ〜４ｄからそれぞれ所定の比較データ列を受け、検出信号DTCT2を出力している。
図３および図４は、同期語判定部４０、４２の詳細を示している。
同期語判定部４０、４２は、それぞれ、同期語判定器６-1、６-2、６-3、６-4と、これ等同期語判定器６-1〜６-4に供給される信号を反転する複数のインバータと、同期語判定器６-1〜６-4の判定結果である出力信号を論理演算するOR回路８とを有してる。同期語判定部４２は、それぞれ、同期語判定器６-5、６-6、６-7、６-8と、これ等同期語判定器６-5〜６-8に供給される信号を反転する複数のインバータと、同期語判定器６-5〜６-8の判定結果である出力信号を論理演算するOR回路８とを有してる。同期語判定器６-1〜６-8は、バッファ４ａ〜４ｄに格納されたデータのうち所定のビットのデータまたは所定のビットの反転データを、それぞれ各入力端子０〜７で受けている。同期語判定器６-1〜６-8は、図２に示した同期語判定器６と同一の回路である。ここで、バッファの出力から同期語判定器までのインバータを含めた配線は、比較データ列を構成するデータ構成部として機能する。このデータ構成部により、後述するように、ディジタルデータ中にある所定のデータを用いて、これ等データを判別した判別条件の位相が時系列に従い回転するように組み合わせられ、複数の比較データ列が構成される。
【００２７】
図５は、同期語の搬送波周波数が、搬送波再生回路１２の動作周波数に対して大きくずれている場合における同期語の各シンボルの位相ベクトルを示している。
ある時点ｔでＩ軸上の右側にあるシンボルの位相は、次の時点ｔ＋１では、図の左回りに４５°回転している。さらに、シンボルの位相は、次の時点ｔ＋２でＱ軸上の上側に移動し、次の時点ｔ＋３で時点ｔ＋２から図の左回りに４５°回転している。これは、変調速度をＦ[baud]とすると、搬送波の周波数がＦ／８だけずれた状態である。周波数ずれがこれだけ大きく、かつ雑音強度が大きいと、従来の技術では、同期語は検出不可能である。
【００２８】
図６および図７は、同期語判定部４０、４２の動作の概要を示している。
図において、四角のパターンおよびこのパターンの右側に示した数値は、同期語判定器の各入力端子０〜７が受けるデータの内容を示している。四角のパターンは、図１２に示した位相ベクトルに対応している。すなわち、網掛けで示した領域は“１”に対応し、白で示した領域は“０”に対応している。四角のパターンの右側の数値（２ａ（０）等）は、同期語判定器の各入力端子０〜７が、どのバッファのどのビットのデータを受けるかを示している。数値の前の記号“／”は、そのデータが図３および図４に示したインバータにより反転されていることを示している。
【００２９】
例えば、図６において、同期語判定器６-1の入力端子０は、バッファ４ａのビット０に格納されているデータを受ける。このデータは、図に示したパターンに従って判別されたデータである。同様に、同期語判定器６-1の入力端子１は、バッファ４ｄのビット１に格納されているデータの反転データを受ける。換言すれば、同期語判定部４０、４２は、所定のバッファ４ａ〜４ｄに格納された判別器２ａ〜２ｄの判別結果を時系列順に受け、受けたデータ列を期待データ列と比較することで同期語を検出する。
【００３０】
図６に示したパターンから明らかなように、搬送波の位相が、搬送波再生回路１２のクロックの位相に対して４５°ずつずれていく場合（図５）でも、同期語は、同期語判定器６-1〜６-4のいずれかで検出できる。同様に、図７に示した四角のパターンから明らかなように、搬送波の位相が、搬送波再生回路１２のクロックの位相に対して−４５°ずつずれていく場合でも、同期語は、同期語判定器６-5〜６-8のいずれかで検出できる。
【００３１】
図８は、本実施形態における同期語検出の例を示している。この例では、６ｆｄ＝Ｆ／８と仮定し、図１４と同様に±９ｆｄの周波数差までの同期語検出を行う。
図２に示した同期語検出器２０では、同期語判定部３８で周波数差０の同期語検出ができ、同期語判定部４０で周波数差＋Ｆ／８の同期語検出ができ、同期語判定部４２で周波数差−Ｆ／８の同期語検出ができる（図２（１））。すなわち、異なる周波数差での同期語検出を３ヶ所で同時にできる。このため、例えば、図２（１）、（２）、（３）の順に３回の周波数掃引を行うことで、従来（図１４）と同じ±９ｆｄの周波数差までの同期語が検出できる。すなわち、短時間で同期検波を行うことができる。
【００３２】
以上、この実施形態では、複数の同期語判定部３８、４０、４２で、それぞれ異なる周波数差の同期語検出を同時に行った。このため、周波数の掃引回数を大幅に低減でき、同期語を短時間で検出できる。
判別器２ａ〜２ｄおよびバッファ４ａ〜４ｄを、同期語判定部３８、４０、４２で共用したので、同期語検出器２０の回路規模を従来に比べ大幅に増大することなく、効率よく同期語検出を行うことができる。この結果、コストを大幅に上昇させることなく、高性能の復調器を形成できる。
【００３３】
従来と同一の構成の判別器２ａ〜２ｄおよびバッファ４ａ〜４ｄおよびバッファ４を利用できるため、検出器および復調器の設計効率を向上できる。
図９は、本発明のディジタル信号検出器およびディジタル復調器の第２の実施形態を示している。この実施形態は、請求項２および請求項４に対応している。第１の実施形態で説明した回路・信号と同一の回路・信号については、同一の符号を付し、これ等の回路・信号については、詳細な説明を省略する。
【００３４】
この実施形態では、搬送波再生回路４６の同期語検出器４８、ループフィルタ５０が、第１の実施形態と相違している。その他の構成は、第１の実施形態と同一である。この実施形態の特徴は、同期語検出器４８が周波数ずれ信号を出力することにある。周波数ずれ信号は、ループフィルタ５０に供給されている。
図１０は、同期語検出器４８の詳細を示している。同期語検出器４８は、第１の実施形態と同様に、同期語を検出するディジタル信号検出器として動作する。
【００３５】
同期語検出器４８は、図２の同期語検出器２０にエンコーダ５４を追加して構成されている。エンコーダ５４は、同期語判定部３８、４０、４２からの検出信号DTCT0、DTCT1、DTCT2を受け、これ等検出信号に応じた周波数ずれ信号を出力している。すなわち、エンコーダ５４は、変調信号の搬送周波数と、搬送波再生回路の基準信号の周波数との差を検出する周波数差検出部として動作する。
【００３６】
この実施形態では、例えば、同期語検出器４８は、同期語判定部４０からの判定信号DTCT1を受けたときに、“＋４５°のずれ”という情報を有する周波数ずれ信号を出力する。ある程度の長さを有する同期語、すなわち、実用的な長さの同期語を検出する場合、搬送波再生回路４６で補正される周波数ずれは、判別器２ａ（または２ｂ〜２ｄ）で判別できる周波数ずれ（図１２の例では１８０°）よりも大きくなる。このような場合でも、図９に示したループフィルタ５０が、周波数ずれ信号を直接受けて位相回転器３０を制御することで、搬送波の再生に要する時間が短縮される。
【００３７】
この実施形態においても、上述した第１の実施形態と同様の効果を得ることができる。さらに、この実施形態では、同期語検出器４８は、検出信号DTCT0、DTCT1、DTCT2に応じた周波数ずれ信号を生成し、この信号をループフィルタ５０にフィードバックした。このため、搬送波の再生に要する時間を短縮できる。この結果、復調器の性能を向上できる。
【００３８】
なお、上述した実施形態では、判別条件が４５°ずつ相違する判別器２ａ〜２ｄを使用して同期語検出を行った例について述べた。本発明はかかる実施形態に限定されるものではない。例えば、判別条件が３０°あるいは１５°ずつ相違する判別器を使用して同期語検出を行ってもよい。判別器の判別条件を細かくすることで、より多くの周波数差での同期語検出が同時にできる。この結果、掃引回数を低減でき、同期語検出に要する時間を短縮できる。同期語検出に要する時間を同一にする場合、さらに広い周波数差まで同期語を検出できる。また、雑音に対する耐性を向上できる。
【００３９】
上述した実施形態では、本発明を、BPSKで変調された同期語を検出する検出器に適用した例について述べた。本発明はかかる実施形態に限定されるものではない。例えば、本発明を、BPSKより信号点の多いQPSKあるいは8PSK等で変調された同期語を検出する検出器に適用してもよい。
上述した実施形態では、本発明を、準同期検波を行う復調器に適用した例について述べた。本発明はかかる実施形態に限定されるものではない。例えば、本発明を、同期検波を行う復調器に適用してもよい。
【００４０】
以上、本発明について詳細に説明してきたが、上記の実施形態およびその変形例は発明の一例に過ぎず、本発明はこれに限定されるものではない。本発明を逸脱しない範囲で変形可能であることは明らかである。
【００４１】
【発明の効果】
請求項１のディジタル信号検出器、および請求項５のディジタル信号の検出方法では、異なる周波数差における所定のデータ列の検出を同時に行うことができる。この結果、検出時間を短縮できる。従来に比べ回路規模が増大することはない。従来の変換部を利用できるため、設計効率が向上する。
【００４２】
請求項２のディジタル信号検出器では、いずれかの判定部における比較データ列と期待データ列との一致に基づいて、変調信号の周波数と基準信号の周波数との差を検出することができる。
請求項３のディジタル復調器、および請求項６のディジタル復調器の同期検波方法では、所定のデータ列の検出時間が短縮されるため、同期検波に要する時間を短縮できる。ディジタル復調器が周波数掃引を行っている場合には、掃引回数を低減できる。
【００４３】
請求項４のディジタル復調器では、変調信号の周波数と基準信号の周波数との差を検出し、検出結果を制御系にフィードバックすることで、さらに同期検波に要する時間を短縮できる。
【図面の簡単な説明】
【図１】本発明の第１の実施形態を示すブロック図である。
【図２】図１の検出器の詳細を示すブロック図である。
【図３】図２の同期語判定部４０の詳細を示すブロック図である。
【図４】図２の同期語判定部４２の詳細を示すブロック図である。
【図５】周波数ずれを有する場合における同期語の各シンボルの位相ベクトルを示す説明図である。
【図６】図３の同期語判定部４０の動作の概要を示す説明図である。
【図７】図４の同期語判定部４２の動作の概要を示す説明図である。
【図８】同期語検出の例を示す説明図である。
【図９】本発明の第２の実施形態を示すブロック図である。
【図１０】図９の検出器の詳細を示すブロック図である。
【図１１】従来のISDB-Sにおける伝送信号の概要を示す従来技術の説明図である。
【図１２】  BPSKで変調された同期語の様々な位相ベクトルを示す従来技術の説明図である。
【図１３】従来の４つの判別器を有する同期語検出器を示すブロック図である。
【図１４】従来の同期語検出の例を示す説明図である。
【図１５】従来の周波数掃引器を有する復調器における同期語検出の動作を示すフローチャートである。
【符号の説明】
２ａ、２ｂ、２ｃ、２ｄ  判別器
４ａ、４ｂ、４ｃ、４ｄ  バッファ
６  同期語判定器
６-1、６-2、６-3、６-4  同期語判定器
６-5、６-6、６-7、６-8  同期語判定器
８  OR回路
１０  ADコンバータ（ADC）
１２  搬送波再生回路
１４  復号器
１６  周波数掃引器
１８  PLL
２０  同期語検出器
２２  タイミング発生器
２４  位相検出器
２６  ループフィルタ
２８  ROM
３０  位相回転器
３２  クロック位相検出器
３４  ループフィルタ
３６  電圧制御発振器（VCO）
３８、４０、４２  同期語判定部
４４  OR回路
４６  搬送波再生回路
４８  同期語検出器
５０  ループフィルタ
５４  エンコーダ
DTCT0、DTCT1、DTCT2  検出信号
【図１】
0003773093.tif 000002
【図２】
0003773093.tif 000003
【図３】
0003773093.tif 000004
【図４】
0003773093.tif 000005
【図５】
0003773093.tif 000006
【図６】
0003773093.tif 000007
【図７】
0003773093.tif 000008
【図８】
0003773093.tif 000009
【図９】
0003773093.tif 000010
【図１０】
0003773093.tif 000011
【図１１】
0003773093.tif 000012
【図１２】
0003773093.tif 000013
【図１３】
0003773093.tif 000014
【図１４】
0003773093.tif 000015
【図１５】
0003773093.tif 000016